(57)【要約】【課題】連続的な画像を表示させることができるとともに、演出効果を高めることができる遊技機の提供。【解決手段】パチンコ機は、画像表示装置７を備える。画像表示装置７は、所定の画像が表示される表示面７１Ａを有し、表示面７１Ａを互いに対向させて配設される２つのＬＣＤユニット７１と、各表示面７１Ａに対して傾斜するとともに、一端が互いに近接して配設され、表示面７１Ａから射出される光を表示面７１Ａと略平行する方向に反射する反射面７２Ａを有する２つの反射板７２と、各反射板７２の一端を離間させるように各反射板７２を移動させる移動手段とを備える。各ＬＣＤユニット７１は、表示面７１Ａに１つの画像を２つに分割した画像をそれぞれ表示させる。【選択図】図３
2010213962.tif 000002
【特許請求の範囲】
【請求項１】
所定の画像を表示する画像表示装置を備える遊技機であって、
前記画像表示装置は、
前記所定の画像が表示される表示面を有し、前記表示面を互いに対向させて配設される２つの表示手段と、
前記各表示面に対して傾斜するとともに、一端が互いに近接して配設され、前記表示面から射出される光を前記表示面と略平行する方向に反射する反射面を有する２つの反射板と、
前記一端を離間させるように前記各反射板を移動させる移動手段とを備えることを特徴とする遊技機。
【請求項２】
請求項１に記載の遊技機において、
前記移動手段は、前記反射面に沿って前記各反射板を移動させることを特徴とする遊技機。
【請求項３】
請求項１に記載の遊技機において、
前記移動手段は、前記各反射板の他端を中心として回転させることで前記各反射板を移動させることを特徴とする遊技機。
【請求項４】
請求項１から請求項３のいずれかに記載の遊技機において、
前記各表示面に表示される画像は、前記移動手段による前記各反射板の移動に連動することを特徴とする遊技機。
【請求項５】
請求項１から請求項４のいずれかに記載の遊技機において、
前記各反射面の裏面側には、前記移動手段による前記各反射板の移動に連動して移動する物体が配設されていることを特徴とする遊技機。
【請求項６】
請求項１から請求項５のいずれかに記載の遊技機において、
前記各表示面に表示される画像は、前記各反射面の交線を通り前記各表示面と直交する面を中心として分割され、
一方の前記表示面に表示される分割された画像、及び他方の前記表示面に表示される分割された画像は、前記交線を中心として線対称となることを特徴とする遊技機。
【発明の詳細な説明】
【技術分野】
【０００１】
本発明は、遊技機に関する。
【背景技術】
【０００２】
従来、液晶パネル等の表示手段を備えて構成される画像表示装置を備え、この画像表示装置に所定の画像を表示させることで演出を行うパチンコ機やパチスロ機等の遊技機が知られている（例えば、特許文献１，２参照）。
特許文献１に記載のパチンコ機は、所定の画像が表示される液晶パネルの表示面上に棒状の部材を配設することで表示面を２つの領域に分割している。そして、棒状の部材を駆動することで表示面を１つの領域として画像を表示させて演出を行ったり、表示面を２つの領域に分割して画像を表示させて演出を行ったりすることができる。
【０００３】
また、特許文献２に記載のスロット機は、２つの液晶パネルを隣接して配設することで各液晶パネルを合わせて１つの領域として画像を表示させて演出を行ったり、各液晶パネルを離間させることで２つの領域に分割して画像を表示させて演出を行ったりすることができる。
ここで、遊技機の演出としては、例えば、扉を開くときなどのように、擬似的に画像を分割する演出が考えられる。
【先行技術文献】
【特許文献】
【０００４】
【特許文献１】特開２００６−２０４６１３号公報
【特許文献２】特開２００６−１１６２３１号公報
【発明の概要】
【発明が解決しようとする課題】
【０００５】
しかしながら、単に液晶パネルに画像を表示させることで画像を分割する演出を行うと、演出効果が小さいという問題がある。また、特許文献１に記載のパチンコ機のように、表示面上に配設された部材を駆動することで画像を分割する演出を行う場合も同様である。
さらに、特許文献２に記載のスロット機のように、２つの液晶パネルを離間させることで画像を分割する演出を行うと、演出効果を高めることができるものの、各液晶パネルには縁があるので各液晶パネルを合わせて１つの領域として画像を表示させると不連続な画像となるという問題がある。また、各液晶パネルを駆動する機構が必要となるので、画像表示装置が大型化するという問題がある。
【０００６】
本発明の目的は、連続的な画像を表示させることができるとともに、演出効果を高めることができる遊技機を提供することにある。
【課題を解決するための手段】
【０００７】
本発明の遊技機は、所定の画像を表示する画像表示装置を備える遊技機であって、前記画像表示装置は、前記所定の画像が表示される表示面を有し、前記表示面を互いに対向させて配設される２つの表示手段と、前記各表示面に対して傾斜するとともに、一端が互いに近接して配設され、前記表示面から射出される光を前記表示面と略平行する方向に反射する反射面を有する２つの反射板と、前記一端を離間させるように前記各反射板を移動させる移動手段とを備えることを特徴とする。
【０００８】
このような構成によれば、各表示手段の表示面から射出される光（以下、画像光とする）は、各反射板の反射面にて反射される。ここで、各反射板は、各表示面に対して傾斜するとともに、一端が互いに近接して配設されているので、各反射面にて反射された画像光は、表示面と略平行する同一の方向に進行する。
したがって、各表示手段の表示面に１つの画像を２つに分割した画像をそれぞれ表示し、各反射面にて反射された画像光の進行方向とは反対方向（以下、観察方向とする）から各反射板を観察すれば、観察者、すなわち遊技者は、２つに分割する前の１つの画像を観察することができる。そして、各反射板には、縁を設ける必要がないので、遊技機は、連続的な画像を表示させることができる。
【０００９】
また、遊技機は、各反射板の一端を離間させるように各反射板を移動させる移動手段を備えているので、各反射板の一端を離間させることで画像を分割する演出を行うことができ、演出効果を高めることができる。
さらに、移動手段は、表示手段と比較して小型で軽量の各反射板を駆動する機構を備えていればよいので、画像表示装置、ひいては遊技機を小型化することができる。
【００１０】
本発明では、前記移動手段は、前記反射面に沿って前記各反射板を移動させることが好ましい。
このような構成によれば、前述した遊技機と同様の作用効果を奏することができる。
【００１１】
本発明では、前記移動手段は、前記各反射板の他端を中心として回転させることで前記各反射板を移動させることが好ましい。
このような構成によれば、前述した遊技機と同様の作用効果を奏することができる。
【００１２】
本発明では、前記各表示面に表示される画像は、前記移動手段による前記各反射板の移動に連動することが好ましい。
【００１３】
ここで、移動手段によって各反射板を移動させると、遊技者から見た各反射板の面積は小さくなる。したがって、各表示面に表示される画像が各反射板を移動させる前後で同じであると、遊技者は、適切な画像を観察することができないという問題がある。
本発明によれば、各表示面に表示される画像は、移動手段による各反射板の移動に連動するので、遊技者は、適切な画像を観察することができる。
【００１４】
本発明では、前記各反射面の裏面側には、前記移動手段による前記各反射板の移動に連動して移動する物体が配設されていることが好ましい。
【００１５】
このような構成によれば、各反射板を移動させることで各反射面の裏面側に配設される物体を露出させることができる。また、この物体は、各反射板の移動に連動して移動するので、遊技機は、演出効果を高めることができる。
なお、本発明では、遊技者によって観察される画像（虚像）の位置は、各反射板の他端を結ぶ位置となる。このため、各反射面の裏面側で各反射板における一端と他端の間の位置に物体を配設しておくことによって、各反射板を移動させることで物体を露出させたときに物体は虚像の位置よりも手前に現れることとなる。したがって、このような位置に物体を配設しておけば、遊技機は、演出効果を更に高めることができる。
【００１６】
本発明では、前記各表示面に表示される画像は、前記各反射面の交線を通り前記各表示面と直交する面を中心として分割され、一方の前記表示面に表示される分割された画像、及び他方の前記表示面に表示される分割された画像は、前記交線を中心として線対称となることが好ましい。
【００１７】
ここで、各反射面の交線を通り各表示面と直交する面（以下、基準面とする）よりも観察方向の先端側にのみ各表示面に画像を表示すると、遊技者は、観察方向からずれた方向から各反射板を観察したときに、適切な画像を観察することができない。これは、基準面よりも観察方向の基端側には各表示面に画像を表示していないからである。
本発明によれば、各表示面に表示される画像は、基準面を中心として分割され、一方の表示面に表示される分割された画像、及び他方の表示面に表示される分割された画像は、各反射面の交線を中心として線対称となるので、遊技者は、観察方向からずれた方向から各反射板を観察した場合であっても適切な画像を観察することができる。
【図面の簡単な説明】
【００１８】
【図１】本発明の第１実施形態に係るパチンコ機を示す概要斜視図。
【図２】前記実施形態における遊技機本体の概略構成を示すブロック図。
【図３】前記実施形態における画像表示装置の概略構成を示す模式図。
【図４】前記実施形態における第１移動手段にて各反射板を移動させた状態を示す模式図。
【図５】本発明の第２実施形態に係る遊技機本体の概略構成を示すブロック図。
【図６】前記実施形態における第１移動手段にて各反射板を移動させた状態を示す模式図。
【発明を実施するための形態】
【００１９】
〔第１実施形態〕
以下、本発明の第１実施形態を図面に基づいて説明する。
図１は、本発明の第１実施形態に係るパチンコ機１を示す概要斜視図である。なお、図１では、鉛直上方向を＋Ｚ軸とし、このＺ軸と直交する２軸をそれぞれＸ，Ｙ軸としている。以下の図面においても同様である。
本実施形態のパチンコ機１は、本発明の遊技機に相当し、遊技者の操作により、遊技球を遊技盤上に射出して、射出された遊技球が遊技盤に設けられた入賞口等に入賞した場合に、所定数の遊技球を払い出すものである。このパチンコ機１は、図１に示すように、枠体２と、枠体２内に収納される遊技機本体３とを備えて構成されている。
遊技機本体３は、図１に示すように、枠体２の前面側に取り付けられる遊技盤３１と、遊技盤３１の前面を覆う透光板を有する前扉３２と、遊技球を発射するためのハンドル３３と、後述する払出装置５（図２参照）から払い出された遊技球を貯める上皿３４および下皿３５とを備えて構成されている。
【００２０】
遊技盤３１は、ハンドル３３から打ち出された遊技球を導くレール３１１によって囲まれた略円形状の遊技領域３１Ａを有し、遊技領域３１Ａには、適所に遊技球の軌道を変更する複数の釘３１２が配設されている。また、遊技盤３１の略中央、すなわち、遊技領域３１Ａの略中央には、略横長長方形状の開口３１Ｂが形成され、開口３１Ｂは、透光性の基板３１３により覆われている。
この開口３１Ｂの左右両側には、遊技球が入賞する２つの入賞口３１４が設けられている。また、開口３１Ｂの下方略中央には、遊技球が入賞すると後述する制御装置４（図２参照）に抽選処理を実行させる始動入賞口３１５が設けられ、始動入賞口３１５の下方には、抽選処理により大当りとなった場合に開放される大入賞口３１６が設けられている。さらに、遊技領域３１Ａの下端には、入賞口３１４，３１５，３１６に入賞しなかった遊技球を回収する回収口３１７が形成されている。
【００２１】
図２は、遊技機本体３の概略構成を示すブロック図である。
遊技機本体３は、図２に示すように、制御装置４と、払出装置５と、音声出力装置６と、画像表示装置７とを備える。
制御装置４は、ＣＰＵ４１と、ＲＯＭ（Read Only Memory）４２と、ＲＡＭ（Random Access Memory）４３とが実装された回路基板（図示省略）を備える。
制御手段としてのＣＰＵ４１は、抽選処理を行う他、パチンコ機１の装置全体を制御するものであり、払出装置５、音声出力装置６、及び画像表示装置７に制御信号を出力する。
ＲＯＭ４２は、パチンコ機１全体を制御するための制御プログラムや、各種データなどが格納されている。
ＲＡＭ４３は、ＣＰＵ４１の作業メモリーとして利用され、各種データが一時的に記憶される。
【００２２】
払出装置５は、遊技球が入賞口３１４，３１５，３１６に入賞した場合に、ＣＰＵ４１による制御の下、所定数の遊技球の払い出しを行う。
音声出力装置６は、音声を出力するスピーカー（図示省略）等を備えて構成され、ＣＰＵ４１による制御の下、画像表示装置７の動作と連動して音声による演出を行う。
画像表示装置７は、ＣＰＵ４１による抽選処理の結果に応じて所定の画像を表示するものであり、２つのＬＣＤ（Liquid Crystal Display）ユニット７１と、各ＬＣＤユニットの画像光を反射する２つの反射板７２と、各反射板７２を移動させる第１移動手段７３と、演出効果を高めるための役物７４と、役物７４を移動させる第２移動手段７５とを備える。
【００２３】
図３は、画像表示装置７の概略構成を示す模式図である。なお、図３（Ａ）は、画像表示装置７を上方側（＋Ｚ軸方向側）から見た図であり、図３（Ｂ）は、画像表示装置を前方側（＋Ｙ軸方向側）から見た図である。
表示手段としての各ＬＣＤユニット７１は、図３（Ａ）に示すように、所定の画像が表示される表示面７１Ａを有し、各表示面７１Ａを互いに対向させて配設される。各ＬＣＤユニット７１は、ＣＰＵ４１による制御の下、表示面７１Ａに１つの画像を２つに分割した画像をそれぞれ表示させる。なお、本実施形態では、各表示面７１Ａに表示される画像は、星形の図形を分割した画像であるものとする（図３（Ｂ）参照）。
【００２４】
各反射板７２は、各表示面７１Ａに対して略４５度の角度で傾斜するとともに、中央側に位置する端部（一端）が互いに近接して配設され、各表示面７１Ａから射出される画像光を、表示面７１Ａと略平行する方向（＋Ｙ軸方向）に反射する（図３（Ａ）中一点鎖線）反射面７２Ａを有するミラーとして構成されている。また、−Ｘ軸方向側に配設される反射板７２は、＋Ｘ軸方向側に配設される反射板７２と比較して短く設定され、各反射板７２は、画像光の進行方向とは反対方向である観察方向（−Ｙ軸方向）から見て重なり合っている。
物体としての役物７４は、各反射面７２Ａの裏面側（−Ｙ軸方向側）で各反射板７２における一端と他端（表示面７１Ａ側に位置する端部）の間の位置に配設されている。
【００２５】
各表示面７１Ａに表示される画像は、各反射面７２Ａの交線ＰＬを通り各表示面７１Ａと直交する面（以下、基準面Ｓとする）を中心として分割されている。具体的に、各表示面７１Ａに表示される画像は、基準面Ｓと、各表示面７１Ａとの交線ＰＬＳが、各反射面７２Ａによって観察者に提示される画像中のＰＬに対応するように調整された反転画像である。
一方の表示面７１Ａに表示される分割された画像、及び他方の表示面７１Ａに表示される分割された画像のうち、各交線ＰＬＳより左右の所定量等長幅となる矩形領域で示される各部分画像は、観察者の視点の左右移動に対応するために、互いに同一の部分画像を冗長的に有している。画像表示装置３として組み立てられた状態では、前記各部分画像は、交線ＰＬを中心として１８０度軸対称（線対称）である。
すなわち、−Ｘ軸方向側の表示面７１Ａに表示される矢印Ａ方向の画像、及び＋Ｘ軸方向側の表示面７１Ａに表示される矢印Ａ方向の画像は、交線ＰＬを中心として１８０度軸対称となる星形の図形の右半分であり、−Ｘ軸方向側の表示面７１Ａに表示される矢印Ｂ方向の画像、及び＋Ｘ軸方向側の表示面７１Ａに表示される矢印Ｂ方向の画像は、交線ＰＬを中心として１８０度軸対称となる星形の図形の左半分である。
したがって、遊技者は、略観察方向から各反射板７２を観察すれば、図３（Ｂ）に示すように、２つに分割する前の１つの画像、すなわち星形の図形を観察することができる。
【００２６】
図４は、第１移動手段７３にて各反射板７２を移動させた状態を示す模式図である。なお、図４（Ａ）は、画像表示装置７を上方側（＋Ｚ軸方向側）から見た図であり、図４（Ｂ）は、画像表示装置７を前方側（＋Ｙ軸方向側）から見た図である。
移動手段としての第１移動手段７３（図２参照）は、例えば、リニアアクチュエーター等を備えて構成され、図４（Ａ）に示すように、ＣＰＵ４１による制御の下、各反射板７２の一端を離間させるように反射面７２Ａに沿って各反射板７２を移動させる（矢印Ｃ）。
ここで、第１移動手段７３によって各反射板７２を移動させると、図４（Ｂ）に示すように、遊技者から見た各反射板７２の面積は小さくなるので、ＬＣＤユニット７１は、各表示面７１Ａに表示される画像を、第１移動手段７３による各反射板７２の移動に連動させる。
また、第２移動手段７５は、例えば、リニアアクチュエーター等を備えて構成され、第１移動手段７３による各反射板７２の移動に連動して役物７４をＹ軸方向に沿って移動させる（図示略）。
【００２７】
本実施形態に係るパチンコ機１によれば、次のような効果がある。
（１）各反射板７２には、縁を設ける必要がないので、パチンコ機１は、連続的な画像を表示させることができる。また、パチンコ機１は、第１移動手段７３を備えているので、各反射板７２の一端を離間させることで画像を分割する演出を行うことができ、演出効果を高めることができる。さらに、第１移動手段７３は、ＬＣＤユニット７１と比較して小型で軽量の各反射板７２を駆動する機構を備えていればよいので、画像表示装置７、ひいてはパチンコ機１を小型化することができる。
（２）各表示面７１Ａに表示される画像は、第１移動手段７３による各反射板７２の移動に連動するので、遊技者は、適切な画像を観察することができる。
【００２８】
（３）各反射面７２Ａの裏面側には、第１移動手段７３による各反射板７２の移動に連動して移動する役物７４が配設されているので、各反射板７２を移動させることで各反射面７２Ａの裏面側に配設される役物７４を露出させることができる。また、この役物７４は、各反射板７２の移動に連動して移動するので、パチンコ機１は、演出効果を高めることができる。
（４）各反射板７２における一端と他端の間の位置に役物７４を配設しているので、各反射板７２を移動させることで役物７４を露出させたときに役物７４は虚像の位置よりも手前に現れることとなる。したがって、パチンコ機１は、演出効果を更に高めることができる。
（５）各表示面７１Ａに表示される画像は、基準面Ｓを中心として分割され、一方の表示面に表示される分割された画像、及び他方の表示面に表示される分割された画像は、各反射面７２Ａの交線ＰＬを中心として１８０度軸対称となるので、遊技者は、観察方向からずれた方向から各反射板７２を観察した場合であっても適切な画像を観察することができる。
【００２９】
〔第２実施形態〕
以下、本発明の第２実施形態を図面に基づいて説明する。
なお、以下の説明では、既に説明した部分については、同一符号を付してその説明を省略する。
図５は、本発明の第２実施形態に係る遊技機本体３Ａの概略構成を示すブロック図である。
前記第１実施形態では、画像表示装置７は、第１移動手段７３を備え、第１移動手段７３は、各反射板７２の一端を離間させるように反射面７２Ａに沿って各反射板７２を移動させていた。これに対して、本実施形態では、図５に示すように、画像表示装置７Ａは、第１移動手段７３Ａを備え、第１移動手段７３Ａは、各反射板７２の他端を中心として回転させることで各反射板７２を移動させる点で異なる。
【００３０】
図６は、第１移動手段７３Ａにて各反射板７２を移動させた状態を示す模式図である。なお、図６（Ａ）は、画像表示装置７Ａを上方側（＋Ｚ軸方向側）から見た図であり、図６（Ｂ）は、画像表示装置７Ａを前方側（＋Ｙ軸方向側）から見た図である。
移動手段としての第１移動手段７３Ａは、例えば、モーター等を備えて構成され、図６（Ａ）に示すように、ＣＰＵ４１による制御の下、各反射板７２の他端を中心として回転させることで各反射板７２の一端を離間させるように各反射板７２を移動させる（矢印Ｄ）。
ここで、第１移動手段７３Ａによって各反射板７２を移動させると、図６（Ｂ）に示すように、遊技者から見た各反射板７２の面積は小さくなるので、ＬＣＤユニット７１は、各表示面７１Ａに表示される画像を、第１移動手段７３Ａによる各反射板７２の移動に連動させる。
【００３１】
このような本実施形態においても、前記第１実施形態における作用、効果と同様の作用、効果を奏することができる。
【００３２】
〔実施形態の変形〕
なお、本発明は前記実施形態に限定されるものではなく、本発明の目的を達成できる範囲での変形、改良等は本発明に含まれるものである。
例えば、前記第１実施形態では、第１移動手段７３は、各反射板７２の一端を離間させるように反射面７２Ａに沿って各反射板７２を移動させ、第１移動手段７３Ａは、各反射板７２の他端を中心として回転させることで各反射板７２の一端を離間させるように各反射板７２を移動させていた。これに対して、移動手段は、他の機構によって各反射板を移動させてもよい。要するに、移動手段は、各反射板の一端を離間させるように各反射板を移動させればよい。
【００３３】
前記各実施形態では、各表示面７１Ａに表示される画像は、移動手段７３，７３Ａによる各反射板７２の移動に連動していたが、連動していなくてもよい。
前記各実施形態では、各反射面７２Ａの裏面側には、移動手段７３，７３Ａによる反射板７２の移動に連動して移動する役物７４が配設されていたが、役物７４は、各反射板７２の移動に連動していなくてもよい。また、役物７４は、各反射面７２Ａの裏面側で各反射板７２における一端と他端の間の位置に配設されていたが、他の位置に配設されていてもよい。さらには、役物７４は、配設されていなくてもよく、役物７４に代えてＬＣＤユニット等の他の物体が配設されていてもよい。
【００３４】
前記各実施形態では、各表示面７１Ａに表示される画像は、基準面Ｓを中心として分割され、一方の表示面７１Ａに表示される分割された画像、及び他方の表示面７１Ａに表示される分割された画像は、交線ＰＬを中心として線対称となっていたが、このような表示方法によらなくてもよい。
前記各実施形態では、遊技機としてパチンコ機１を例示したが、例えば、パチスロ機等の他の遊技機であってもよい。
【産業上の利用可能性】
【００３５】
本発明は、遊技機に利用でき、特に、画像表示装置を備える遊技機に好適に利用することができる。
【符号の説明】
【００３６】
１…パチンコ機（遊技機）、７，７Ａ…画像表示装置、７１…ＬＣＤユニット（表示手段）、７１Ａ…表示面、７２…反射板、７２Ａ…反射面、７３，７３Ａ…第１移動手段（移動手段）、７４…役物（物体）。
【図１】
2010213962.tif 000003
【図２】
2010213962.tif 000004
【図３】
2010213962.tif 000005
【図４】
2010213962.tif 000006
【図５】
2010213962.tif 000007
【図６】
2010213962.tif 000008